(57)【要約】      （修正有）【課題】クラブ同士が互いに擦れあってぶつかり、傷ができたりすることを有効に防止できるだけではなく、娯楽性にも優れた動物の形状を模したゴルフクラブのヘッドカバーを提供する。【解決手段】動物の形をしたゴルフクラブのヘッドカバーであって、中空で動物頭部の形状をしたヘッドカバー部分１と、動物胴体部の形状をしたクラブカバー部分２とを備え、ヘッドカバー部分とクラブカバー部分が一体となって形成されており、前記ヘッドカバー部分の内側が硬い材質又は柔らかくて弾性のある材質からなり、外側が柔軟な材質で包まれており、前記ヘッドカバー部分の下の部分にクラブの端が挿入される入口を有することを特徴とするゴルフクラブのヘッドカバー。【選択図】図１
0003130028.tif 000002
【実用新案登録請求の範囲】
【請求項１】
動物の形をしたゴルフクラブのヘッドカバーであって、中空で動物頭部の形状をしたヘッドカバー部分と、動物胴体部の形状をしたクラブカバー部分とを備え、ヘッドカバー部分とクラブカバー部分が一体となって形成されており、前記ヘッドカバー部分の内側が硬い材質又は柔らかくて弾性のある材質からなり、外側が柔軟な材質で包まれており、前記ヘッドカバー部分の下の部分にクラブの端が挿入される入口を有することを特徴とするゴルフクラブのヘッドカバー。
【請求項２】
前記ヘッドカバーは、動物胴体部の内張り又は動物の手足部分を固定する手段を備え、その内張りと固定手段がクラブの本体の周りを固定できることを特徴とする請求項１に記載のゴルフクラブのヘッドカバー。
【請求項３】
前記動物手足の固定手段は、一組の上肢固定ベルトと一組の下肢固定ベルトを備え、一組の固定ベルトが左固定ベルトと右固定ベルトからなり、それぞれの固定ベルトの後側が前記の内張りに連接しており、前側に同じ組のもう一本の固定ベルトと連接部材があることを特徴とする請求項２に記載のゴルフのクラブのヘッドカバー。
【請求項４】
前記連接部材は磁性材料からなることを特徴とする請求項３に記載のゴルフのクラブのヘッドカバー。
【請求項５】
前記連接部材はマジックシールであることを特徴とする請求項３に記載のゴルフのクラブのヘッドカバー。
【考案の詳細な説明】
【技術分野】
【０００１】
本考案はゴルフクラブの保護手段、具体的にはゴルフクラブのヘッドを保護するヘッドカバーに関する。
【背景技術】
【０００２】
ゴルフクラブを適切に保護することは非常に重要である。上記のようにすることがその性能を最適化させる唯一の手段であり、使用寿命もより長くすることができる。現在、通常の保護方式では、クラブを使わない時にヘッドをヘッドカバーで包むようにしており、クラブバッグ中でのクラブ同士が互いに擦れあったりぶつかったりしてヘッドやクラブが壊れたり傷ができたりすることを防止することができ、その結果すばらしい性能及び美しい外観を確保できる。
【考案の開示】
【考案が解決しようとする課題】
【０００３】
現在、いろいろなゴルフクラブのヘッドカバーが販売されており、使用者は好みに合わせて選ぶことができる。しかし、現在販売されているヘッドカバーは単に性能或いは実用性から考えられただけのものである。即ち、クラブ同士が互いに擦れあったりぶつかったりしてヘッドやクラブが壊れたり傷ができたりすることのみから考えられたものである。外観のデザインは単調で、娯楽性が足りない。
【課題を解決するための手段】
【０００４】
上記の技術的課題に対して、本考案は、クラブ同士が互いに擦れあってぶつかり、傷ができたりすることを有効に防止できるだけではなく、娯楽性にも優れた動物の形状を模したゴルフクラブのヘッドカバーを提供する。
すなわち、上記課題を解決するために、本考案は以下の手段を提供する。本考案に係るヘッドカバーは、動物の形をしたゴルフクラブのヘッドカバーであって、中空で動物頭部の形状をしたヘッドカバー部分と、動物胴体部の形状をしたクラブカバー部分とを備え、ヘッドカバー部分とクラブカバー部分が一体となって形成されており、前記ヘッドカバー部分の内側が硬い材質又は柔らかくて弾性のある材質からなり、外側が柔軟な材質で包まれており、前記ヘッドカバー部分の下の部分にクラブの端が挿入される入口を有する。
【０００５】
また、本考案に係るヘッドカバーは、動物胴体部の内張り又は動物の手足部分を固定する手段を備え、その内面張りと固定手段がクラブの本体の周りを固定できるものであることが好ましい。
また、本考案に係るヘッドカバーは、前記動物手足の固定手段は、一組の上肢固定ベルトと一組の下肢固定ベルトを備え、一組の固定ベルトが左固定ベルトと右固定ベルトからなり、それぞれの固定ベルトの後側が前記の内張りに連接しており、前側に同じ組のもう一本の固定ベルトと連接部材があることが好ましい。
【０００６】
また、本考案に係るヘッドカバーは、連接部材が磁性材料又はマジックシールであることが好ましい。
【考案の効果】
【０００７】
現在の技術と比べて、本考案はクラブ同士が互いに擦れあったりぶつかったりして傷ができたりを有効に防止できるだけではなく、娯楽性にも優れる。
【考案を実施するための最良の形態】
【０００８】
図１に示すように、本考案に係る動物形状のゴルフクラブのヘッドカバーは、中空で動物頭部の形状をしたヘッドカバー部分１と、動物胴体部の形状をしたクラブカバー部分２とを備え、ヘッドカバー部分１とクラブカバー部分２が一体となって形成されている。前記のヘッドカバー部分１の内側が硬い材質又は柔らかくて弾性のある材質からなり、その外側が柔軟な材質で包まれているものである。その柔軟な材質は、編み物や織物等の人工的に作られた毛皮でもよいし、他のこれに類する毛皮でもよい。模式的に動物頭部の形状の図案をプリントすれば、動物の頭部の微妙な形態を適切に表すことができて、娯楽性はより大きいものとなる。
【０００９】
前記ヘッドカバー部分１の下の部分にクラブの端が挿入される入口を有する。ゴルフクラブを使用した後、クラブヘッドをこの入口からヘッドカバー部分１の中空部分に挿入することができる。ヘッドカバー部分１の内側は、柔らかくて弾性があり、ふかふかする材質からなっているため、クラブヘッドを有効に保護できる。
【００１０】
動物胴体部の形状をしたクラブカバー部分２は、動物胴体部の内張り２１又は動物の手足部分を固定する手段２２を備え、その内張り２１と固定手段２２により、クラブの本体の周りを固定することができる。
動物の手足部分の固定手段は、一組の上肢固定ベルトと一組の下肢固定ベルトを備え、一組の固定ベルトが左固定ベルトと右固定ベルトからなっている。それぞれの固定ベルトの後側が前記の内張り２１に連接しており、前側に同じ組のもう一本の固定ベルトと連接部材２３がある。この連接部材は、磁性材料或いはマジックシールであることが最も適している。
【００１１】
以上の記載は本考案の最適の実施形態である。実際には、この分野の通常の技術常識を有する者であれば、本考案の主旨を前提として、若干の変形或いは改良を加えることができる。これらの変形或いは改良したものも本考案の保護対象である。
【図面の簡単な説明】
【００１２】
【図１】本考案に係る動物の形状をしたヘッドカバーの正面図である。
【図２】本考案に係る動物の形状をしたヘッドカバーの斜視図である。
【図３】本考案に係る動物の形状をしたヘッドカバーの側面図である。
【符号の説明】
【００１３】
１    動物頭部の形状のヘッドカバー部分
２    動物胴体の形状のクラブカバー部分
３    入口
２１  内張り
２２  固定手段
２３  連接部材
【図１】
0003130028.tif 000003
【図２】
0003130028.tif 000004
【図３】
0003130028.tif 000005